(57)【要約】【課題】  消費電力を低減しつつ効果的な広告表示を可能とする。【解決手段】  映像表示システム１０において、表示装置２００周辺の人検出エリア３００ａ内に存在する人間が人検出センサ３００によって検出されると、映像再生装置１００の制御部１１０は、静止画映像データ１２１又は動画映像データ１２２に基づいた映像を表示部２１０に表示させる。検出された人間が人検出エリア３００ａから離脱したと推察される所定の期間が経過すると、制御部１１０は、先に表示された映像とは異なる映像を表示部２１０に表示させる。【選択図】  図２
2006039028.tif 000002
【特許請求の範囲】
【請求項１】
表示画面を有する表示手段と、
前記表示手段周辺の人間の存在を検出する検出手段と、
前記検出手段によって前記人間の存在が検出された場合に、前記表示画面に第１の映像を所定の表示期間だけ表示し、該表示期間を除く期間の少なくとも一部の期間に、前記表示画面に前記第１の映像とは異なる第２の映像を表示するように前記表示手段を制御する表示制御手段と
を具備することを特徴とする映像表示システム。
【請求項２】
前記表示手段は、
映像信号を生成する映像信号生成手段と、
前記表示画面を有し、前記生成された映像信号に基づいて、前記第１又は第２の映像を前記表示画面に表示する表示画面手段と
を含み、
前記表示制御手段は、前記少なくとも一部の期間に、前記第２の映像が表示されるように前記映像信号生成手段及び前記表示画面手段のうち少なくとも一方を制御することを特徴とする請求項１に記載の映像表示システム。
【請求項３】
前記第２の映像は、前記第１の映像と比較して消費電力が少ない映像である
ことを特徴とする請求項１又は２に記載の映像表示システム。
【請求項４】
前記第２の映像は、前記第１の映像と比較して前記表示画面の劣化が少ない映像である
ことを特徴とする請求項１から３のいずれか一項に記載の映像表示システム。
【請求項５】
前記表示制御手段は、前記第２の映像が表示される際に、前記表示画面の輝度を下げるように前記表示手段を制御する
ことを特徴とする請求項４に記載の映像表示システム。
【請求項６】
前記第２の映像は、前記第１の映像と比較して人を引き付ける効果の高い映像である
ことを特徴とする請求項１から５のいずれか一項に記載の映像表示システム。
【請求項７】
前記表示制御手段は、前記所定の表示期間内に前記検出手段によって新たに人間の存在が検出された場合、前記所定の表示期間を延長する
ことを特徴とする請求項１から６のいずれか一項に記載の映像表示システム。
【請求項８】
前記映像信号に係る映像データを予め記憶する第１の記憶手段を更に具備し、
前記映像信号生成手段は、前記予め記憶された映像データに基づいて前記映像信号を生成する
ことを特徴とする請求項２に記載の映像表示システム。
【請求項９】
前記検出手段の検出結果を記憶する第２の記憶手段を更に具備する
ことを特徴とする請求項１から８のいずれか一項に記載の映像表示システム。
【請求項１０】
前記第１の記憶手段は、ネットワークに収容されると共に前記ネットワークを介して通信可能なサーバに設けられており、
前記映像信号生成手段は、前記ネットワークに収容されると共に前記ネットワークを介して前記サーバと通信可能なクライアントに設けられており、
前記サーバは、前記ネットワークを介して前記記憶された映像データを送信し、
前記クライアントは、前記映像データを受信し、
前記映像信号生成手段は、前記受信された映像データに基づいて前記映像信号を生成する
ことを特徴とする請求項８に記載の映像表示システム。
【請求項１１】
前記第２の記憶手段は、ネットワークに収容されると共に前記ネットワークを介して通信可能なサーバに設けられており、
前記検出手段は、ネットワークに収容されると共に前記ネットワークを介して前記サーバと通信可能なクライアントに設けられており、
前記クライアントは、前記ネットワークを介して前記検出結果を送信し、
前記サーバは、前記検出結果を受信し、
前記第２の記憶手段は、前記受信された検出結果を記憶する
ことを特徴とする請求項９に記載の映像表示システム。
【請求項１２】
表示画面を有する表示手段周辺の人間の存在を検出する検出工程と、
前記検出手段によって前記人間の存在が検出された場合に、前記表示画面に第１の映像を所定の表示期間だけ表示するように前記表示手段を制御する第１の制御工程と、
該表示期間を除く期間の少なくとも一部の期間に、前記表示画面に前記第１の映像とは異なる第２の映像を表示するように前記表示手段を制御する第２の制御工程と
を具備することを特徴とする映像表示方法。
【発明の詳細な説明】
【技術分野】
【０００１】
本発明は、例えば、広告などを表示する際に好適な映像表示システム、及び映像表示方法の技術分野に関する。
【背景技術】
【０００２】
映像表示システムにおいて、省電力化を図るべく構成されたものが提案されている（例えば、特許文献１参照）。
【０００３】
特許文献１に開示されたディスプレイ省電力装置（以下、従来技術と称する）によれば、ディスプレイの正面から一定距離に人が存在するかを検知する手段と、この検知手段情報によりディスプレイ装置自体の電源をオン、オフする手段とによりディスプレイ装置が使用されないと予測できる一定距離内に人が存在しない場合ディスプレイ装置の電源をオフして省電力化を図ることが可能であるとされている。
【０００４】
【特許文献１】特開平７−４４１４４号公報
【発明の開示】
【発明が解決しようとする課題】
【０００５】
しかしながら、従来技術は以下に示す問題点を有する。
【０００６】
例えば、人通りの多い街中における広告表示などにこの従来技術を使用した場合、人の存在を検知する度にディスプレイの電源をオン又はオフしていては、目障りであると同時に、画面が表示されるまでの間に人がある程度通過してしまう為、効果的な広告表示が困難である。また、ディスプレイに画面が表示されるまでの間に完全に人が通過してしまった場合には、人はそこに広告が存在することを認識することすら困難である。即ち、従来技術では、省電力化と効果的な広告表示との両立が技術的にみて困難である。
【０００７】
本発明は、例えば、上述した問題点に鑑みてなされたものであり、消費電力を低減しつつ高い広告効果を有する映像表示システム、及び映像表示方法を提供することを課題とする。
【課題を解決するための手段】
【０００８】
上述した課題を解決するために、請求項１に記載された映像表示システムは、表示画面を有する表示手段と、前記表示手段周辺の人間の存在を検出する検出手段と、前記検出手段によって前記人間の存在が検出された場合に、前記表示画面に第１の映像を所定の表示期間だけ表示し、該表示期間を除く期間の少なくとも一部の期間に、前記表示画面に前記第１の映像とは異なる第２の映像を表示するように前記表示手段を制御する表示制御手段とを具備することを特徴とする。
【０００９】
上述した課題を解決するために、請求項１０に記載された映像表示方法は、表示画面を有する表示手段周辺の人間の存在を検出する検出工程と、前記検出手段によって前記人間の存在が検出された場合に、前記表示画面に第１の映像を所定の表示期間だけ表示するように前記表示手段を制御する第１の制御工程と、該表示期間を除く期間の少なくとも一部の期間に、前記表示画面に前記第１の映像とは異なる第２の映像を表示するように前記表示手段を制御する第２の制御工程とを具備することを特徴とする。
【発明を実施するための最良の形態】
【００１０】
＜映像表示システムの実施形態＞
本発明の映像表示システムに係る実施形態は、表示画面を有する表示手段と、前記表示手段周辺の人間の存在を検出する検出手段と、前記検出手段によって前記人間の存在が検出された場合に、前記表示画面に第１の映像を所定の表示期間だけ表示し、該表示期間を除く期間の少なくとも一部の期間に、前記表示画面に前記第１の映像とは異なる第２の映像を表示するように前記表示手段を制御する表示制御手段とを具備する。
【００１１】
本発明の映像表示システムに係る実施形態によれば、その動作時には、表示手段の表示画面に映像が表示される。
【００１２】
本発明において「映像」とは、静止画像、動画像、及び文字画像などを含み、少なくとも表示手段の周辺に存在する人間に対して何らかの影響を与え得る視覚情報として定義される。例えば、商品、店舗、サービス、映画、イベント、及び娯楽などに係る宣伝広告、時事情報及びニュースなどの即時性の高い情報、又は、例えば癒し効果など精神的な効果を付与し得る風景画像及び幾何学画像などを指す。
【００１３】
また、本発明において「表示手段」とは、例えば、液晶ディスプレイ、プラズマディスプレイ、有機ＥＬディスプレイ、ＣＲＴ（Cathode Ray Tube）ディスプレイなどの各種ディスプレイ装置などを含み、更にこれら各種ディスプレイ装置に映像を表示させるための何らかの手段、例えば、ＤＶＤ−ＲＯＭ、ＤＶＤ−ＲＡＭ、ＣＤ−ＲＯＭ、ＣＤ−ＲＷ、ＨＤなどを記録媒体とする映像再生装置及びシステムの全て又は一部を含む概念である。この表示手段に備わる「表示画面」とは、例えば、これら各種ディスプレイ装置における各種表示パネルに相当する。
【００１４】
一方、本発明の映像表示システムに係る実施形態によれば、検出手段によって、表示手段周辺の人間の存在が検出される。ここで、「表示手段の周辺」とは、典型的には、表示手段から、表示画面を常識の範囲で視認し得る程度の距離内にある空間を指す。但し、表示手段からの距離を厳密に物理的な数値として規定するものではなく、係る「周辺」に存在する人間に、表示画面に表示される映像を積極的に視認させたい範囲としてその都度決定されてもよい趣旨である。例えば、表示画面の大きさが異なれば、表示される映像の大きさも相対的に異なるのであり、一般に視認可能な距離も自ずと異なる。視認可能な距離が長ければ、それだけ「周辺」として規定される領域も広くてよい。
【００１５】
従って、本発明における「検出手段」とは、このような人間の存在を検出し得る手段であり、例えば、既存或いは公知である、焦電センサなどの赤外線センサ、超音波センサ、フォトカプラなどの各種センサ装置が好適に使用される。一般には、人間の動き或いは動いている人間を検出するが、人間が存在しない基準状態と比較して人間の存在を（その静止に拘わらず）検出してもよい。更に画像認識技術を利用して人間以外のものの存在と人間の存在とを区別して検出してもよい。尚、検出手段の態様は、表示手段周辺の人間の存在を検出可能な限りにおいて何ら限定されない。
【００１６】
ここで特に、表示手段周辺に人間が存在しない状況で表示画面に映像を表示させても、宣伝又は広告の効果は殆ど望めないため、消費電力を低減する観点から言えば好ましくない。しかしながら、従来技術の如く電源のオンオフ制御を行うと、既に述べたように宣伝、又は広告としての機能が損なわれることとなる。
【００１７】
そこで、本発明の映像表示システムに係る実施形態は、表示制御手段が、表示手段周辺の人間の存在の有無に応じて表示画面に表示される映像を変化させることによりその問題を解決している。より具体的には、表示制御手段が、検出手段によって表示手段周辺の人間の存在が検出された場合に前記表示画面に第１の映像を所定の表示期間だけ表示し、該表示期間を除く期間の少なくとも一部の期間に、前記表示画面に前記第１の映像とは異なる第２の映像を表示するように前記表示手段を制御する。
【００１８】
第１の映像とは、即ち、既に述べた如き、本発明に係る「映像」の概念で規定される何らかの映像であり、例えば、宣伝、又は広告用の画像である。表示手段周辺に人間が存在する場合には、このような第１の映像が係る人間に対し提供される。
【００１９】
第２の映像とは、係る第１の映像とは異なる映像である。但し、第２の映像も、本発明に係る「映像」の範囲から逸脱するものではなく、あくまでその範囲内で規定される映像である。例えば、第２の映像は、表示画面に宣伝又は広告に関する映像が表示されている旨、若しくは、宣伝又は広告用の表示画面がそこに存在している旨を、通行人等が視覚的に認識できる程度の映像である。
【００２０】
また、第１の映像は「人間の存在が検出された場合」に表示画面に表示されるように表示制御手段によって制御される。この「人間の存在が検出された場合」とは、厳密に係る検出がなされた時刻に限定されない。即ち、厳密に人間の存在が検出された時刻とほぼ同時刻、或いは検出時刻から予め定められた時間経過後の時刻などを含む広い概念である。例えば、表示手段から適当な距離を隔てて検出手段が配設されている場合には、その位置から表示手段近傍位置まで、検出された人間が移動したとみなし得る時間が経過した後に表示画面に第１の映像が表示されてもよい。
【００２１】
また、本発明において、「所定の表示期間」とは、厳密に表示手段周辺に人間の存在が検出されている期間でなくてもよい。例えば、予め適当に定められた時間であってもよいし、実験的、経験的、或いはシミュレーションなどによって、表示手段周辺に人間が存在することが検出されてから係る周辺空間内にその人間が滞在する時間などが予め予測又は推測可能な場合には、そのような時間に設定されていてもよい。特に、本発明に係る検出手段の性能によっては、表示手段に人間が接近したことを検出可能でも、表示手段周辺に人間が静止しているのか（例えば、座り込んでいる）否かまで検出できない場合があるが、所定の期間がこのような場合に対応して設定されていれば極めて有利である。
【００２２】
或いは「所定の表示期間」とは、第１の映像が何らかのコンテンツ又は係るコンテンツ内のチャプタの一部である場合には、そのようなコンテンツ又はチャプタの区切りであってもよい。例えば、商品のコマーシャル映像など、数十秒程度の映像であれば、最低限このコマーシャル映像を一回分表示してもよい。
【００２３】
このように、本発明においては表示手段周辺に人間が存在していない場合であっても、表示手段には何らかの映像が表示されている。即ち、表示手段の側では容易にして、即時に第１の映像を表示できる状態になっている。従って、検出手段によって表示手段周辺に人間の存在が検出された場合には、速やかに本来表示されるべき映像（即ち、第１の映像）を表示画面に表示させることが可能となる。また、本発明においては、第１の映像とは異なる映像である第２の映像の表示内容及び表示形態を、第１の映像とは異なる限りにおいて自由に設定することができる。例えば、第２の映像を、第１の映像と比較して消費電力の少ない映像、画面の劣化が少ない映像、又は人を引き付ける効果の高い映像などに設定することによって、消費電力の低減、画面の寿命延長、又は広告効果の向上を図ることも容易にして可能である。従って、消費電力を低減しつつ高い広告効果を実現することが可能なのである。尚、本発明において「消費電力が低減される」とは、第１の映像と第２の映像との切換えを何ら行わない場合と比較して、消費電力が明らかに減少することを指すに留まらず、少なくとも消費電力が増加しない程度に維持されることを含む広い概念である。
【００２４】
また、表示手段周辺に人間が存在しないと言っても、それは単に検出手段、例えばセンサがその存在を検出しないだけのことであって、厳密に表示手段周辺に人間が存在するか否かとは異なる場合もある。そのような場合であっても、本発明の映像表示システムに係る実施形態によれば、第２の映像によって、何らかの情報を周囲に対し提供することができ、機会損失などの不利益が生じる可能性は極めて少ない。
【００２５】
本発明の映像表示システムに係る実施形態の一の態様では、前記表示手段は、映像信号を生成する映像信号生成手段と、前記表示画面を有し、前記生成された映像信号に基づいて、前記第１又は第２の映像を前記表示画面に表示する表示画面手段とを含み、前記表示制御手段は、前記少なくとも一部の期間に、前記第２の映像が表示されるように前記映像信号生成手段及び前記表示画面手段のうち少なくとも一方を制御する。
【００２６】
この態様によれば、表示制御手段は、映像信号生成手段及び表示画面手段のうち少なくとも一方を制御する。
【００２７】
本発明における「映像信号」とは、本発明における映像を表示画面に表示させるために表示画面手段に対し供給される信号を指す。また、「映像信号生成手段」とは、このような映像信号を生成することが可能な装置であり、例えば、パソコン、ワークステーション、及びサーバ装置などのコンピュータ装置、又は、ビデオテープ、ＬＤ、ＤＶＤ−ＲＯＭ、ＤＶＤ−ＲＡＭ、ＣＤ−ＲＯＭ、及びＣＤ−ＲＷなどの各種記録媒体に記録された映像データに基づいて係る映像信号を生成するための、ＶＴＲ再生装置、ＬＤ再生装置、ＤＶＤ−ＲＯＭ、ＤＶＤ−ＲＡＭ、ＣＤ−ＲＯＭ、及びＣＤ−ＲＷなどの各種再生装置などを指す。
【００２８】
また、本発明における「表示画面手段」とは、即ち、例えば、液晶ディスプレイ、プラズマディスプレイ、有機ＥＬディスプレイ、ＣＲＴ（Cathode Ray Tube）ディスプレイなどの各種ディスプレイ装置に相当する。
【００２９】
尚、第１の映像と第２の映像との間で表示を切換える表示制御手段は、映像信号供給手段と同一のハードウェア内に設けられていてもよいし、表示画面手段と同一のハードウェア内に設けられていてもよい。或いは、検出手段と同一のハードウェア内に設けられていてもよい。また、これら映像信号供給手段、表示画面手段、及び検出手段は、全て又は少なくとも一部が同一のハードウェア内に設けられていてもよい。
【００３０】
この態様によれば、表示画面の映像表示、及び第１の映像と第２の映像との表示の切換えを比較的簡単に行うことができるので好適である。
【００３１】
本発明の映像表示システムに係る実施形態の他の態様では、前記第２の映像は、前記第１の映像と比較して消費電力が少ない映像である。
【００３２】
ここで、「消費電力の少ない」映像とは、例えば、第１の映像よりも表示領域の小さい映像や、表示に係る処理負荷の少ない映像など、表示画面に第１の映像が表示されるよりも、映像表示システムの消費電力をその量の大小によらず低減し得ることが判明している、又は予め実験的、経験的、或いはシミュレーションなどの各種手法によって予測又は推測されている映像を指す。例えば、表示画面全域に表示されていた画像を等倍で縮小したような映像、第１の映像が動画像である場合には、その動画の一場面に係る静止画像などを指す。更に、点滅する又は比較的短周期で消滅と点灯とを繰り返す映像であってもよい。
【００３３】
或いは、「消費電力の少ない」映像とは、第１の映像に対し、表示画面の輝度やコントラストといった要素を変化させて得られる類のものであってもよい。即ち、本発明における第２の映像とは、第１の映像よりも消費電力低減し得る限りにおいて、第１の映像と内容的には同一の映像であっても構わない。
【００３４】
この態様によれば、第１の映像よりも消費電力の少ない第２の映像によって、消費電力を明らかに低減させることが可能である。
【００３５】
本発明の映像表示システムに係る実施形態の他の態様では、前記第２の映像は、前記第１の映像と比較して前記表示画面の劣化が少ない映像である。
【００３６】
この態様によれば、第２の映像が第１の映像と比較して表示画面の劣化が少ない映像であるから、表示画面、ひいては表示手段の寿命を延長し得る。ここで、「表示画面の劣化」とは、例えば、焼き付きなどによって経時的に生じる表示画面の表示品質の低下などを指す。
【００３７】
従って、本態様における「表示画面の劣化が少ない映像」とは、例えばこのような焼き付きの生じにくい映像、即ち、暗い映像、相対的に明るい静止部分の少ない映像、フラッシング（点滅）映像、又は表示画面の輝度、コントラストなどを比較的に低くした状態で表示した第１の映像などを指す。或いは「表示画面の劣化が少ない映像」とは、第１の映像を縮小して、表示画面内を移動させるような映像であってもよい。また、「表示画面の劣化が少ない映像」とは、表示画面の劣化が少ないことが予め実験的、経験的、或いはシミュレーションなどにより判明している、又は予測、若しくは推測される映像であってもよい。このような表示画面の劣化が少ない映像は、予め専用に作成された映像であってもよい。
【００３８】
尚、例えば、第２の映像を第１の映像よりも暗い映像とした場合、比較的に明るい第１の映像へ切り替わった瞬間には、表示手段周辺の人間に対し、比較的に大きなインパクトを与えることが可能となり、極めて訴求性の高い映像表示を行うことが可能となるので効果的である。
【００３９】
第２の画面が表示画面の劣化が少ない本発明の映像表示システムに係る実施形態の一の態様では、前記表示制御手段は、前記第２の映像が表示される際に、前記表示画面の輝度を下げるように前記表示手段を制御する。
【００４０】
第１の映像と第２の映像とは、全く異なる映像であってよいが、例えば、この態様のように、表示画面の輝度を下げることによって第２の映像を得ることも可能であり、この場合には第２の映像を第１の映像と内容的に等価な映像とすることが可能である。従って、表示処理に係る処理は著しく軽くなり、効率的である。
【００４１】
尚、このような表示画面の輝度制御は、表示手段に表示画面の輝度を制御するインタフェースが備わる場合には、係るインタフェースを介して電気的又は物理的になされてもよい。また、このような制御は、有線無線の形態を問わず行われる。例えば、検出手段からの信号が、リモコンなど赤外線を利用したデバイスにより、少なくとも一部無線区間を介して表示手段に入力されてもよい。
【００４２】
本発明の映像表示システムに係る実施形態の他の態様では、前記第２の映像は、前記第１の映像と比較して人を引き付ける効果の高い映像である。
【００４３】
ここで、「人を引き付ける効果の高い」映像とは、例えば、第１の映像よりも明るい映像、フラッシング映像、又は第１の映像を縮小して画面上で移動させるような映像などを指し、第１の映像から派生させる映像であっても、予め設定された専用の映像であってもよい。但し、第２の映像を第１の映像よりも明るい映像とすることによって消費電力が増大してしまう場合には、例えば、上記した諸形態を組み合わせ、明るい映像であって且つフラッシング映像とすることによって消費電力を低減させてもよい。即ち、本発明の効果を担保し得る限りにおいて、「人を引き付ける効果の高い」映像の形態は自由に決定されてよい。
【００４４】
この態様によれば、第１の映像よりも人を引き付ける効果の高い第２の映像によって、極めて高い広告効果を実現することが簡便にして可能となる。
【００４５】
このような本発明の映像表示システムに係る実施形態の一の態様では、前記表示制御手段は、前記所定の表示期間内に前記検出手段によって新たに人間の存在が検出された場合、前記所定の表示期間を延長する。
【００４６】
例えば、人間の交通量が多い交差点や店舗内などにおいて、第１の映像を、単純に所定期間を単位として表示すると、連続的に何人もの人間の存在が検出手段によって検出された際、表示画面に表示される内容が不自然になり易い。
【００４７】
この態様によれば、所定の表示期間中に検出手段が人間の存在を検出した際には、表示制御手段は、第１の映像の表示期間を延長するので、このような不自然さが軽減され、表示手段周辺の人間に対して効果的な映像の表示が可能となる。尚「延長する」態様は自由であってよく、例えば、最後に人間の存在が検出されたタイミング時点から、所定の表示期間に相当する時間延長してもよい。
【００４８】
本発明の映像表示システムに係る実施形態の他の態様では、前記映像信号に係る映像データを予め記憶する第１の記憶手段を更に具備し、前記映像信号生成手段は、前記予め定められた映像データに基づいて前記映像信号を生成する。
【００４９】
この態様によれば、第１及び第２の映像に係る映像データが、予め第１の記憶手段に記憶される。従って、映像信号生成手段は、適宜この第１の記憶手段から映像データを取得し、表示画面手段に供給されるべき映像信号を生成することが可能であり、表示画面への表示のバリエーションを簡便に増やすことが可能となる。
【００５０】
尚、本発明において「映像データ」とは、例えば、本発明に係る映像を表示画面に表示させるための基となるデータであり、静止画像、動画像、及び文字画像などに係るアナログ又はディジタル画像データなどを指す。従って、第１の記憶手段とは、例えば、ビデオテープ、ＬＤ、ＨＤ、ＤＶＤ−ＲＯＭ、ＤＶＤ−ＲＡＭ、ＣＤ−ＲＯＭ、又はＣＤ−ＲＷなど、各種態様を採ることが可能である。
【００５１】
尚、本発明において「映像信号」と「映像データ」とは相互に一対一、又は多対一に対応する。従って、一の映像データからは複数種類の映像信号が生成されてもよい。例えば、一の映像データから、映像信号生成手段によって、第１の映像に係る映像信号と第２の映像に係る映像信号の両方が生成されてもよい。この場合、第２の映像に係る映像信号とは、例えば、第１の映像に係る映像信号よりもＲＧＢ各色の明るさレベルを一律に低下させるような処理を行った映像信号であってもよい。或いは、第１の映像の一部が表示されるように、一の映像データの一部から生成された映像信号であってもよい。
【００５２】
一方、第１の映像と第２の映像が夫々異なる映像データから生成されてもよい。この際、表示制御手段は、何れの映像を表示するかに応じて、相互に異なる映像データを第１の記憶手段から映像信号生成手段に対し供給してもよい。この場合も、異なる映像データから映像信号が生成されるように映像信号生成手段を制御しているから「表示手段を制御する」範疇である。
【００５３】
本発明の映像表示システムに係る実施形態の他の態様では、前記検出手段の検出結果を記憶する第２の記憶手段を更に具備する。
【００５４】
この態様によれば、検出手段による検出結果が第２の記憶手段に記憶される。ここで、第２の記憶手段とは、前述の第１の記憶手段と同一の、又は同種の記憶媒体であってもよい。このように検出手段による検出結果が記憶されることによって、表示手段周辺における人間の存在密度、頻度、又は数などが比較的簡単に判明する。また、検出手段が、時間帯別、性別、又は場所別など各種カテゴリ別に人間の存在を検出可能である場合には、このような各種カテゴリ別の検出結果が記憶されてもよい。更に、この記憶された検出結果に基づいて、第１の映像及び第２の映像を、適宜、表示手段の設置場所、又は時間帯などに応じて適切な内容に変更することも容易であり、高い広告効果を実現することも簡便にして可能である。
【００５５】
第１の記憶手段を備える本発明の映像表示システムに係る実施形態の一の態様では、前記第１の記憶手段は、ネットワークに収容されると共に前記ネットワークを介して通信可能なサーバに設けられており、前記映像信号生成手段は、前記ネットワークに収容されると共に前記ネットワークを介して前記サーバと通信可能なクライアントに設けられており、前記サーバは、前記ネットワークを介して前記記憶された映像データを送信し、前記クライアントは、前記映像データを受信し、前記映像信号生成手段は、前記受信された映像データに基づいて前記映像信号を生成する。
【００５６】
この態様によれば、第１の記憶手段がサーバに設けられ、映像信号生成手段がクライアントに設けられることによって、クライアントの設置性が向上する。また、サーバは、比較的大容量の記憶媒体を備えることが容易に可能であり、第１の記憶手段がサーバに設けられることによって、第１の映像、及び第２の映像の種類が豊富になり、一層広告効果の向上を図ることが可能となる。
【００５７】
第２の記憶手段を備える本発明の映像表示システムに係る実施形態の一の態様では、前記第２の記憶手段は、ネットワークに収容されると共に前記ネットワークを介して通信可能なサーバに設けられており、前記検出手段は、ネットワークに収容されると共に前記ネットワークを介して前記サーバと通信可能なクライアントに設けられており、前記クライアントは、前記ネットワークを介して前記検出結果を送信し、前記サーバは、前記検出結果を受信し、前記第２の記憶手段は、前記受信された検出結果を記憶する。
【００５８】
この態様によれば、第２の記憶手段がサーバに設けられ、検出手段がクライアントに設けられている。このクライアントからは、検出手段による検出結果がサーバに送信され、第２の記憶手段によって記憶される。従って、サーバ側で表示手段周辺の人間の存在状況をリアルタイムに把握することが可能となる。この場合、例えば、広告主などが係るサーバを介して複数の場所に設置された表示手段の周辺の人間の存在状況を把握することも容易にして可能である。従って、この態様によれば、極めて効率的に映像を表示することができる。
＜映像表示方法の実施形態＞
本発明の映像表示方法に係る実施形態は、表示画面を有する表示手段周辺の人間の存在を検出する検出工程と、前記検出手段によって前記人間の存在が検出された場合に、前記表示画面に第１の映像を所定の表示期間だけ表示するように前記表示手段を制御する第１の制御工程と、該表示期間を除く期間の少なくとも一部の期間に、前記表示画面に前記第１の映像とは異なる第２の映像を表示するように前記表示手段を制御する第２の制御工程とを具備する。
【００５９】
本発明の映像表示方法に係る実施形態によれば、上述した映像表示システムに係る実施形態に対応する各種工程を備えることによって、映像表示システムに係る実施形態を簡単に実現することが可能である。
【００６０】
以上説明したように、本発明の映像表示システムに係る実施形態によれば、表示手段、検出手段、及び表示制御手段を備えるので、消費電力を低減しつつ効果的な広告表示を行うことが可能である。本発明の映像表示方法に係る実施形態によれば、検出工程、第１の制御工程、及び第２の制御工程を備えるので、本発明の映像表示システムに係る実施形態を簡便に実現することが可能である。
【００６１】
本発明のこのような作用及び他の利得は次に説明する実施例から明らかにされる。
【実施例】
【００６２】
以下、本発明の好適な実施例について、図面を参照して説明する。
＜実施例の構成＞
始めに、図１を参照して、本発明の実施例に係る映像表示システムの概要について説明する。ここに、図１は、映像表示システム１０の概念図である。
【００６３】
図１において、映像表示システム１０は、映像再生装置１００、表示装置２００、及び人検出センサ３００を備える。
【００６４】
表示装置２００は、例えば、交差点、歩行者天国、公園、駅構内、駅ホーム上、会社の受付、ビルの屋上、人通りの多い場所など、人間に視認可能な屋内外を問わない多様な場所に設置されている。
【００６５】
映像再生装置１００は、表示装置２００と電気的に接続されており、表示装置２００に映像を表示させるための装置である。
【００６６】
人検出センサ３００は、映像再生装置１００と電気的に接続され、表示装置２００周辺の人間の存在を検出可能に構成されたセンサである。人検出センサ３００は、矢線（曲線）の方向に回動することによって、表示装置２００周辺に人検出エリア３００ａを形成している。即ち人検出センサ３００は、人検出エリア３００ａ内に存在する人間を検出するセンサである。尚、この人検出エリア３００ａは、映像表示システム１０の設置場所、表示装置２００の種類、映像表示の目的、及び人検出センサ３００の性能によって、その広さ、エリア形状などは多様な形態を採り得る。
【００６７】
映像表示システム１０は、人検出センサ３００の検出結果に応じて、表示装置２００に表示される映像が変化するように構成されており、例えば人検出エリア３００ａ内を通行する単数又は複数の通行人２０に対して、広告を表示するためのシステムである。
【００６８】
続いて、図２を参照して、映像表示システム１０の構成について説明する。ここに、図２は、映像表示システム１０のブロック図である。
【００６９】
図２において、映像再生装置１００は、制御部１１０、記憶部１２０、及び表示用信号生成部１３０を備える。
【００７０】
制御部１１０は、ＣＰＵ（Central Processing Unit）１１１、及びメモリ１１２を備える。ＣＰＵ１１１は、映像再生装置１００の動作を制御するユニットであり、本発明に係る「表示制御手段」の一例として機能する。メモリ１１２は、例えば、ＲＡＭ（Random Access Memory）であり、映像再生装置１００の動作過程においてデータを一時的に格納することが可能に構成された記憶媒体である。
【００７１】
記憶部１２０は、表示装置２００に表示される映像に関する映像データを記憶するための記憶媒体であり、本発明に係る「第１の記憶手段」の一例である。記憶部１２０は、例えば、ＤＶＤ−ＲＯＭ、ＤＶＤ−ＲＡＭ、ＣＤ−ＲＯＭ、又はＣＤ−ＲＷなどの光情報記録媒体及びそのドライブユニットである。記憶部１２０には、予め、静止画映像データ１２１と動画映像データ１２２の２種類のディジタル映像データが記憶されている。静止画映像データ１２１は、例えば、夫々様々なジャンル又はカテゴリに属する新商品、新サ−ビス、イベント、又は映画などの案内映像又は宣伝映像に係る静止画データである。動画映像データ１２２は、上記した案内映像又は宣伝映像に係る動画データである。尚、静止画映像データ１２１、及び動画映像データ１２２は共に複数個格納されている。
【００７２】
表示用信号生成部１３０は、記憶部１２０に記憶される上記映像データから、後述する表示部２１０に表示させるための表示用信号を生成することが可能に構成された、本発明に係る「映像信号生成手段」の一例である。
【００７３】
表示装置２００は、表示部２１０及び輝度制御インタフェース（Ｉ／Ｆ）２２０を備えた、本発明に係る「表示画面手段」の一例である。表示装置２００は、例えば、プラズマディスプレイ装置、液晶ディスプレイ装置、ＣＲＴ（Cathode Ray Tube）ディスプレイ装置、又は有機エレクトロルミネセンスディスプレイ装置などの、比較的に大型のディスプレイ装置であり、前述の通行人２０が人検出エリア３００ａを通過しながら、表示される映像を十分視認することが可能に構成されている。
【００７４】
表示部２１０は、表示装置２００の構成に応じた、例えばプラズマディスプレイ表示パネルなどのディスプレイパネルであり、通行人２０に視認させるための映像の表示画面となる。即ち、表示部２１０は、本発明に係る「表示画面」の一例である。
【００７５】
輝度制御インタフェース２２０は、表示部２１０の輝度を調整するためのインタフェースであり、表示装置２００は、この輝度制御インタフェース２２０に入力される輝度制御信号に従って表示部２１０の輝度が変化するように構成されている。
【００７６】
尚、映像再生装置１００と表示装置２００とは、本発明に係る「表示手段」の一例を構成している。
【００７７】
人検出センサ３００は、人検出エリア３００ａ内を通過する通行人２０など、人間の存在を検出可能なセンサであり、本発明に係る「検出手段」の一例である。人検出センサ３００は、例えば赤外線センサであり、例えば、通行人２０が人検出エリア３００ａ内に進入すると、制御部１１０に対し人間の存在を検出したことを示す検出パルス信号を出力するように構成されている。
＜実施例の動作＞
＜Ａ：静止画映像を表示する場合＞
次に、図３を参照して、上記構成を有する映像表示システム１０の動作について説明する。ここに、図３は、静止画映像を表示する際の映像表示タイミングの模式図である。
【００７８】
図５において、時刻Ｔ１に人検出センサ３００が人検出エリア３００ａ内で人間の存在を検出する。この際、ＣＰＵ１１１は、記憶部１２０から静止画映像データ１２１の一つを選択し、メモリ１１２に格納する。
【００７９】
表示用信号生成部１３０は、メモリ１１２に格納された静止画映像データ１２１に基づいて、表示部２１０に表示させるための表示用信号を生成し、表示部２１０に供給する。表示部２１０は、供給された表示用信号に基づいて本発明に係る「第１の映像」の一例たる静止画映像１２３を表示する。
【００８０】
ここで、図４を参照して、係る静止画映像１２３について説明する。ここに、図４は、静止画映像１２３の模式図である。
【００８１】
図４において、静止画映像１２３は、例えば、何らかの商品の宣伝用の静止画映像である。静止画映像１２３は、人検出エリア３００ａ内に存在する人間に、係る商品の宣伝を効果的に行えるように視認性が高く構成された明るい映像である。
【００８２】
図３に戻り、時刻Ｔ１において、人間の存在を検出したことを示す検出パルス信号を人検出センサ３００から受け取ると、ＣＰＵ１１１は、内蔵するタイマを作動させ、時刻Ｔ１からの経過時間の計測を開始する。
【００８３】
本実施例において、映像表示システム１０は、人間の存在が検出された際、その検出時刻から時間Ｔが経過するまでの期間、表示部２１０に静止画映像１２３が表示されるように構成されている。
【００８４】
時刻Ｔ１から時間Ｔが経過した時刻Ｔ２において、ＣＰＵ１１１は表示用信号生成部１３０を制御して、表示部２１０への静止画映像１２３に係る表示用信号の供給を停止する。また、それと同時に、表示用信号生成部１３０に対し、新たに表示部２１０に表示させるべき静止画映像１２４に係る表示用信号の生成を指示する。
【００８５】
新たに表示部２１０に表示させるべき静止画映像１２４とは、人検出エリア３００ａ内に人間が存在しない期間に表示される映像を意味する。即ち、この期間は、積極的に広告映像などを表示しても効果が低いと予想される期間である。従って、本実施例において、この期間に表示される静止画映像１２４は、通常映像よりも映像表示システム１０の消費電力を軽減し得る、本発明に係る「第２の映像」の一例となる。
【００８６】
尚、時刻Ｔ２において、確実に検出エリア３００ａ内に人間が存在しない訳ではなく、人検出センサ３００の誤作動、又は検出精度の限界などにより、時刻Ｔ２において人検出エリア３００ａ内に人間が存在する場合も有り得る。従って、係る経過時間Ｔとは、あくまで実験的、経験的、或いはシミュレーションなどの手法によって、人検出エリア２００ａ内における人間の平均的な滞在時間として決定された値である。従って、人検出センサ３００が、人検出エリア３００ａ内の人間の出入りを確実に検出できる場合には、その都度人検出センサ３００の出力信号に応じて表示部２１０の表示内容が不確定に変更されてもよい。
【００８７】
ここで、図５を参照して、静止画映像１２４について説明する。ここに、図５は、静止画映像１２４の例示図である。
【００８８】
図５において、静止画映像１２４は、図５（ａ）に示されるような、静止画映像１２３の発色を全体的に抑えた暗い映像である静止画映像１２４ａであってもよいし、図５（ｂ）に示されるような、縮小された静止画映像１２３を黒い画面上に複数散りばめたような静止画映像１２４ｂであってもよい。前者の場合には、例えば、表示用信号生成部１３０が、メモリ１１２に格納された静止画映像データ１２１を参照し、静止画映像１２３よりも暗くなるような画像処理を行った上で表示用信号を生成し、表示部２１０に供給することにより得られる。後者の場合には、例えば、表示用信号生成部１３０が、メモリ１１２に格納された静止画映像データ１２１を参照し、静止画映像１２３を縮小する画像処理を行うと共に、黒い画面上にそれらを複数配置させる表示用信号を生成し、表示部２１０に供給することによって得られる。
【００８９】
これら静止画映像１２４は、例えば、何れも静止画映像１２３より消費電力を抑え得るように予め設定された映像であるが、静止画映像１２４の態様は、これらに限定されず、静止画映像１２３よりも映像表示システム１０の消費電力をいくらかなりとも軽減し得る映像、静止画映像１２３よりも表示部２１０の劣化を軽減し得る映像、又は静止画映像１２３よりも人を引き付ける効果を有する訴求性の高い映像など、消費電力を低減しつつ高い広告効果を実現可能な限りにおいて自由に設定されてよい。
【００９０】
また、この静止画映像１２４の表示パターンは、予めＣＰＵ１１１の内部メモリなどに記憶され、適宜ＣＰＵ１１１の指示によって表示用信号生成部１３０が表示用信号を生成するように構成されていてもよい。尚、例えば、図５に表示される静止画映像１２４ａ及び静止画像１２４ｂは、夫々画面の焼き付きなど、表示部２１０を劣化させる現象を防止可能な映像であり、従って、映像表示システム１０は、消費電力を低減しつつ更に表示部２１０の劣化を防止することも可能に構成されている。このような画面の焼き付き防止効果は、特に画面の焼き付きを生じ易いプラズマディスプレイ装置などに対して有効である。
【００９１】
尚、静止画映像１２４は、静止画映像１２３とは内容の異なる映像であってもよい。例えば、記憶部１２０に、予め静止画映像１２４に相当する単数又は複数の静止画映像データ１２１が格納されていてもよい。この際、ＣＰＵ１１１は、適宜何れかの静止画映像データ１２１を選択し、メモリ１１２に格納してもよい。更には、上記したように、静止画映像１２４が静止画映像１２３と何らかの関係を有する映像であっても、それに対応する静止画データ１２１が予め記憶部１２０に記憶されていてもよい。
【００９２】
再び、図３に戻り、時刻Ｔ３において再び、人検出センサ３００からの検出パルス信号がＣＰＵ１１１に出力される。この場合も、前述の時刻Ｔ１における動作と同様に、静止画映像１２３が表示部２１０に表示される。但し、この場合、ＣＰＵ１１１は先に表示されていた静止画映像１２３に係る表示用信号を一時的にメモリ１１２に格納しておき、時刻Ｔ３において、単にメモリ１１２からそれを読み出して表示部２１０に供給してもよい。
【００９３】
ここで、時刻Ｔ３からまだ時間Ｔが経過しない時刻Ｔ４において、再び人間の存在が検出されたとする。この場合、映像表示システム１０は、時刻Ｔ４から時間Ｔが経過した時刻Ｔ５まで静止画映像１２３を表示部２１０に表示し続ける。時刻Ｔ５において、表示部２１０の表示内容は再び静止画映像１２４に切り替わる。このように、映像表示システム１０は、人検出センサ３００が最後に人間の存在を検出した時刻から時間Ｔが経過するまで静止画映像１２３を表示するように構成されており、人検出エリア３００ａ内に存在する人間に対し、確実に静止画映像１２３を視認させることが可能となっている。
＜Ｂ：動画映像を表示する場合＞
例えば、通行人２０に対して表示する映像は、静止画映像に限らない。例えば、商品の宣伝などには、ＴＶＣＭのような動画映像の方が広告効果、及び視覚効果に優れている場合がある。ここでは、図６を参照して、表示部２１０に動画映像が表示される場合の、映像表示システム１０の動作について説明する。ここに、図６は、動画映像を表示する際の映像表示タイミングの模式図である。尚、同図において、図３と重複する箇所には同一の符号を付してその説明を省略する。
【００９４】
図６において、映像表示システム１０は、常に動画映像を表示部２１０に表示させている。具体的には、先ず、ＣＰＵ１１１は、記憶部１２０に記憶される動画映像データ１２２をメモリ１１２に格納する。
【００９５】
ＣＰＵ１１１は、表示用信号生成部１３０を制御して、メモリ１１２に格納された動画映像データ１２２から、表示部２１０に表示させるべき動画映像に係る表示用信号を生成させる。表示部２１０は、表示用信号生成部１３０から供給される動画映像に係る映像信号に基づいて動画映像を表示する。
【００９６】
この動画映像は、１スパンが時間Ｐ（＜Ｔ）（例えば、数十秒程度）で構成された動画映像である。ＣＰＵ１１１は、動画映像が最後まで表示されたら、また最初から表示されるように、即ち、常に表示部２１０に繰り返し動画映像が表示されるように、表示部２１０及び表示用信号生成部１３０を制御している。
【００９７】
ここで、図３と同様に時刻Ｔ１において人間の存在が検出されたとする。この時刻Ｔ１において、動画映像は、１スパンの中間付近を表示中であり、このままでは、通行人２０は動画映像を途中から見ることとなって、広告効果が低下する可能性がある。そこで、ＣＰＵ１１１は、時刻Ｔ１において、動画映像を頭出しし、１スパンの始めから動画映像が表示されるように、表示部２１０及び表示用信号生成部１３０を制御する（図６においては便宜的に「巻戻し」と表現されている）。
【００９８】
次に、時刻Ｔ１から時間Ｔが経過した時刻Ｔ２において、ＣＰＵ１１１は、表示装置２００の輝度制御用インタフェース２２０に対し、表示部２１０の輝度を下げるための輝度制御信号を出力する。
【００９９】
表示装置２００は、輝度制御インタフェース２２０を介して受け取った輝度制御信号に基づいて、予め定められた輝度レベルまで表示部２１０の輝度レベルを下げる。このようにして輝度レベルを下げられた表示部２１０に表示される動画映像は、即ち図５（ａ）と同様に、元の映像よりも暗い映像となり、静止画映像の場合と同様に消費電力の低減効果を有する。
【０１００】
時刻Ｔ３において再び人間の存在が検出されると、ＣＰＵ１１１は、再び表示画面の輝度レベルを元に戻すように、輝度制御インタフェース２２０に輝度制御信号を供給する。尚、この時刻Ｔ３においては、動画映像は丁度１スパンの表示が終了した時点であり、ＣＰＵ１１１は表示部２１０の輝度レベルを制御するのみを行う。時刻Ｔ４において再び人間の存在が検出されると、ＣＰＵ１１１は、静止画映像の場合と同様に、通常の輝度レベルを有する動画映像の表示期間を延長し、時刻Ｔ５において、再び輝度レベルを下げる処理を行う。
【０１０１】
以上説明したように、映像表示システム１０においては、人検出エリア３００ａ内の人間の存在の有無に関わらず、絶えず何らかの映像が表示部２１０に表示されている。従って、人検出エリア３００ａ内で人間の存在が検出された際には、速やかに、本来通行人２０に視認させたい映像に切替えることが可能となり、消費電力を低減しつつ、高い広告効果を実現することが可能となるのである。
【０１０２】
また、映像表示システム１０によれば、絶えず何らかの映像が表示部２１０に表示されることによって、例えば人検出エリア３００ａ外に存在する人間にも、広告映像が存在している事実を伝達することが可能である。例えば、不特定の人間が、遠くから表示部２１０を発見し、何が表示されているのかを確認したくて人検出エリア３００ａ内に進入することも考えられる。即ち、映像表示システム１０は極めて高い訴求効果を有しているのである。
【０１０３】
尚、静止画映像を表示する場合に表示部２１０の輝度レベルを制御してもよいし、動画映像を表示する場合に消費電力低減用の動画映像に係る表示用信号を生成して表示部２１０に表示させてもよい。
＜変形例＞
本発明に係る映像表示システムの構成は、上述の実施例に限定されない。例えば、以下のような態様を採ることも可能である。
【０１０４】
＜第１変形例＞
始めに、図７を参照して、本発明の第１の変形例に係る映像表示システムについて説明する。ここに、図７は、映像表示システム３０のブロック図である。尚、同図において、図２と重複する箇所には同一の符号を付してその説明を省略することとする。
【０１０５】
映像表示システム３０は、映像再生装置１００、表示装置４００、及び人検出センサ５００を備える。
【０１０６】
表示装置４００は、上述の実施例に係る表示装置２００と比較して、後述する輝度制御信号を受信するための受信部４１０を更に備える点が異なっている。
【０１０７】
人検出センサ５００は、制御部５１０及び送信部５２０を備え、映像再生装置１００及び表示装置４００とは別個に設置されている。
【０１０８】
制御部５１０は、人検出センサ５００の動作を制御するユニットであり、図示せぬ内蔵タイマを備える。送信部５２０は、制御部５１０によって生成された輝度制御信号を表示装置４００に対して赤外線などを利用して送信することが可能に構成されている。
【０１０９】
映像表示システム３０の動作は、基本的に上述の実施例と同様であるが、映像再生装置１００のＣＰＵ１１１は、表示部２１０に常に静止画映像１２３を表示させている。ここで、人検出センサ５００の制御部５１０は、内蔵タイマによって常に時刻管理を行っており、図３における時刻Ｔ２や時刻Ｔ５において、表示装置４００の表示部４１０の輝度を下げるための輝度制御信号を生成し、送信部５２０から送信する。
【０１１０】
この送信された輝度制御信号は、表示装置４００の受信部４１０によって受信され、輝度制御インタフェース２２０に供給される。この輝度制御インタフェース２２０を介して入力される輝度制御信号により、表示部２１０の輝度は実施例と同様に下がり、消費電力の低減及び表示部２１０の劣化防止が実現される。即ち、第１変形例においては、人検出センサ５００が、本発明に係る「表示制御手段」の他の一例として機能する。第1変形例によれば、人検出センサ５００を映像再生装置１００又は表示装置４００と同一の場所に設置する必要は必ずしも生じないため、映像表示システム３０の設置効率が向上する。
【０１１１】
＜第２変形例＞
次に、図８を参照して、本発明の第２の変形例に係る映像表示システムについて説明する。ここに、図８は、映像表示システム４０のブロック図である。尚、同図において、図２と重複する箇所には同一の符号を付してその説明を省略することとする。
【０１１２】
映像表示システム４０は、表示装置２００及び人検出センサ３００に夫々接続された映像再生装置６００と、サーバ７００とがネットワークに収容されてなるシステムである。
【０１１３】
ネットワーク５０は、移動体通信ネットワーク及び有線通信ネットワークを含む、本発明に係る「ネットワーク」の一例であり、例えば、ＡＤＳＬ回線、光ファイバ、又は電話回線などの各種回線、及びそれらに対応する基地局やアクセスポイントなどを含んでなる。
【０１１４】
映像再生装置６００は、実施例に係る映像再生装置１００と比較して、記憶部１２０を有さない代わりに通信部６１０を有する点で異なっており、本発明に係る「クライアント」の一例を構成する。映像再生装置６００は、通信部６１０を介して、サーバ７００との通信が可能に構成されている。
【０１１５】
サーバ７００は、制御部７１０、記憶部１２０、及び通信部７２０を備え、本発明に係る「サーバ」の一例として機能する。
【０１１６】
制御部７１０は、サーバ７００の動作を制御するユニットである。通信部７２０は、制御部７１０による制御に従って、映像再生装置６００との通信が可能に構成されている。
【０１１７】
映像表示システム４０の動作時、サーバ７００の制御部７１０は、通信部７２０を介して記憶部１２０に記憶される静止画映像データ１２１又は動画映像データ１２２を映像再生装置６００に供給する。
【０１１８】
映像再生装置６００は、サーバ７００から供給されるこれら映像データを、通信部６１０を介して受信する。受信された映像データは、ＣＰＵ１１１によりメモリ１１２に格納され、表示用信号生成部１３０によって表示用映像信号が生成される。表示部２１０には、この表示用信号に基づいた映像が表示される。
【０１１９】
即ち、第２変形例においては、記憶部１２０を、ネットワーク５０を介して映像再生装置６００と相互に通信可能に構成されたサーバ７００に設けることにより、映像再生装置６００の構成を簡略にすることが可能である。また、サーバ７００に設けられる記憶部１２０には、比較的に大容量の記憶媒体を使用することが可能であり、表示部２１０に表示させる映像を豊富に用意することも可能である。このような映像表示システム４０の構成は、例えば、ＲＣＢＢ（Remote Cast Broad Band：登録商標）などに代表される、遠隔制御広告表示システムと同等の構成であり、これらのインフラストラクチャを流用することも可能である。
【０１２０】
尚、映像表示システム４０においては、人検出センサ３００の検出結果たる検出パルス信号を、ネットワーク５０を介してサーバ７００に送信することも可能である。このように、サーバ７００に対し人検出センサ３００の検出結果がリアルタイムに送信された際には、サーバ７００側において、例えば、本発明に係る「第２の記憶手段」の一例たるハードディスクなどの記憶媒体にこの検出結果が蓄積される。サーバ７００側では、この蓄積された検出結果に基づいて表示装置２００周辺の人間の存在状況などが把握できるため、映像表示システム４０の設置効果などを推測又は分析することも容易に可能であり、そのような推測又は分析に基づいて、映像再生装置６００に供給する映像データの種類などを最適化することも可能となる。但し、人検出センサ３００の検出結果は、このようにネットワーク５０を利用してリアルタイムに送信されずとも、例えば、映像再生装置６００のメモリ１１２などに一定量蓄積しておくなどして後々参照可能に構成されてもよい。
【０１２１】
本発明は、上述した実施例に限られるものではなく、請求の範囲及び明細書全体から読み取れる発明の要旨或いは思想に反しない範囲で適宜変更可能であり、そのような変更を伴う映像表示システム、及び映像表示方法もまた本発明の技術的範囲に含まれるものである。
【図面の簡単な説明】
【０１２２】
【図１】本発明の実施例に係る映像表示システムの概念図である。
【図２】本発明の実施例に係る映像表示システムのブロック図である。
【図３】図２の映像表示システムにおいて静止画映像を表示する際の映像表示タイミングの模式図である。
【図４】図２の映像表示システムにおける静止画映像の例示図である。
【図５】図２の映像表示システムにおける静止画映像の他の例示図である。
【図６】図２の映像表示システムにおいて動画映像を表示する際の映像表示タイミングの模式図である
【図７】本発明の第１の変形例に係る映像表示システムのブロック図である。
【図８】本発明の第２の変形例に係る映像表示システムのブロック図である。
【符号の説明】
【０１２３】
１０…映像表示システム、２０…通行人、３０…映像表示システム、４０…映像表示システム、５０…ネットワーク、１００…映像再生装置、１１０…制御部、１１１…ＣＰＵ、１１２…ＲＡＭ、１２０…記憶部、１２１…静止画映像データ、１２２…動画映像データ、１２３…静止画映像、１２４…静止画映像、１３０…表示用信号生成部、２００…表示装置、２１０…表示部、２２０…輝度制御インタフェース、３００…人検出センサ、４００…表示装置、４１０…受信部、５００…人検出センサ、５１０…制御部、５２０…送信部、６００…映像再生装置、６１０…通信部、７００…サーバ、７１０…制御装置、７２０…通信部。
【図１】
2006039028.tif 000003
【図２】
2006039028.tif 000004
【図３】
2006039028.tif 000005
【図４】
2006039028.tif 000006
【図５】
2006039028.tif 000007
【図６】
2006039028.tif 000008
【図７】
2006039028.tif 000009
【図８】
2006039028.tif 000010